Podtech/llm-jp-corpus-v4-ja_patent huggingface dataset:
【手続補正書】
【提出日】平成23年1月11日(2011.1.11)
【手続補正１】
【補正対象書類名】特許請求の範囲
【補正対象項目名】全文
【補正方法】変更
【補正の内容】
【特許請求の範囲】
【請求項１】
細胞外マトリックスへのＣＤ２６の結合を阻害する物質を含有する、悪性中皮腫の治療用の医薬組成物。
【請求項２】
前記物質が抗ＣＤ２６抗体又はその断片である、請求項１記載の医薬組成物。
【請求項３】
前記抗体がモノクローナル抗体である、請求項２記載の医薬組成物。
【請求項４】
前記抗体が１４Ｄ１０である、請求項２記載の医薬組成物。
【請求項５】
前記抗体がヒト化抗体である、請求項２記載の医薬組成物。
【請求項６】
前記ヒト化抗体が１４Ｄ１０由来の可変領域を含む、請求項５記載の医薬組成物。
【請求項７】
前記ヒト化抗体がAmerican Type Culture Collection (ATCC)の受託番号PTA-7695を有し、s604069.YST-pABMC148(x411)と命名された株により生産される、請求項５記載の医薬組成物。
【請求項８】
前記ヒト化抗体が、配列番号８〜１４からなる群から選択されるアミノ酸配列と少なくとも約８０％の同一性を有するアミノ酸配列を含む重鎖可変領域、および配列番号１〜７からなる群から選択されるアミノ酸配列と少なくとも約８０％の同一性を有するアミノ酸配列を含む軽鎖可変領域を含むものである、請求項５記載の医薬組成物。
【請求項９】
前記ヒト化抗体が、配列番号１〜７からなる群から選択されるアミノ酸配列と少なくとも約８０％の同一性を有するアミノ酸配列を含む重鎖可変領域、および配列番号８〜１４からなる群から選択されるアミノ酸配列と少なくとも約８０％の同一性を有するアミノ酸配列を含む軽鎖可変領域を含むものである、請求項５記載の医薬組成物。
【請求項１０】
前記ヒト化抗体が、配列番号１７で示されるアミノ酸配列のうち第２０〜４６５番目のアミノ酸配列を含む少なくとも1本の重鎖、および配列番号１８で示されるアミノ酸配列のうち第２１〜２３４番目のアミノ酸配列を含む少なくとも1本の軽鎖を含む、請求項５記載の医薬組成物。
【請求項１１】
前記断片が、請求項２〜１０のいずれか１項に記載の抗体のＦａｂ、Ｆａｂ’、Ｆａｂ’‐ＳＨ、Ｆｖ、ｓｃＦｖ、およびＦ（ａｂ’）２からなる群から選択されるものである、請求項２に記載の医薬組成物。
【請求項１２】
前記抗体又はその断片に特異的なエフェクター細胞を更に含む、請求項２記載の医薬組成物。
【請求項１３】
前記物質がＣＤ２６ ｃＤＮＡを標的とするｓｉＲＮＡである、請求項１記載の医薬組成物。
【請求項１４】
悪性中皮腫の成長阻害剤である、請求項１記載の医薬組成物。
【請求項１５】
抗ＣＤ２６抗体又はその断片および該抗体又はその断片に特異的なエフェクター細胞を含有する、悪性中皮腫の治療用キット。
【請求項１６】
細胞外マトリックスへのＣＤ２６の結合を阻害する物質を含む、悪性中皮腫細胞の増殖阻害剤。
【請求項１７】
前記物質が抗ＣＤ２６抗体もしくはその断片又はＣＤ２６ ｃＤＮＡを標的とするｓｉＲＮＡである、請求項１６記載の増殖阻害剤。
【請求項１８】
抗ＣＤ２６抗体又はその断片を含む、悪性中皮腫細胞の溶解剤。
【請求項１９】
中皮腫の患者から検体を採取する工程及び該検体におけるＣＤ２６の発現レベルを測定する工程を含む、中皮腫の悪性転換を検出する方法。
【請求項２０】
抗ＣＤ２６抗体又はその断片を含有する、悪性中皮腫の診断剤。
【請求項２１】
抗ＣＤ２６抗体又はその断片を含有する、悪性中皮腫の診断用キット。
【請求項２２】
ＣＤ２６陽性細胞を試験用物質と接触させる工程及び該細胞中のｐ２７の発現レベルを測定する工程を含む、悪性中皮腫を治療するための物質のスクリーニング方法。
【請求項２３】
悪性中皮腫の治療用の医薬組成物の製造における、請求項１〜１３のいずれか１項に記載の物質の使用。
【手続補正書】
【提出日】平成23年3月15日(2011.3.15)
【手続補正１】
【補正対象書類名】特許請求の範囲
【補正対象項目名】全文
【補正方法】変更
【補正の内容】
【特許請求の範囲】
【請求項１】
少なくとも１つの金属酸化物、金属水酸化物および／または金属酸化水酸化物の表面改質ナノ粒状粒子の製造法であって、その際、金属が、アルミニウム、マグネシウム、セリウム、鉄、マンガン、コバルト、ニッケル、銅、チタン、亜鉛およびジルコニウムから成る群から選択されている製造法において、以下の工程
ａ）水および前記金属の少なくとも１つの金属塩とからの溶液（溶液１）と、水および少なくとも１つの強塩基とからの溶液（溶液２）を製造する工程、その際、２つの溶液１および２の少なくとも１つがポリアクリレートを含有し、その際、該ポリアクリレートは、
−少なくとも１つのα，β−不飽和カルボン酸を基礎とするポリマーであり、その際、該ポリアクリレート中の少なくとも１つのα，β−不飽和カルボン酸の割合は、５０〜１００モル％であり、または
−アクリル酸１００モル％から製造されているポリマーである、
ｂ）工程ａ）で製造した溶液１および２を、０〜１２０℃の範囲内の温度で混合する工程、その際、表面改質ナノ粒状粒子が発生し、かつ水性懸濁液の形成下で溶液から沈殿する、
ｃ）表面改質ナノ粒状粒子を、工程ｂ）で得た水性懸濁液から分離する工程、および
ｄ）工程ｃ）で得た表面改質ナノ粒状粒子を乾燥する工程
を包含することを特徴とする製造法。
【請求項２】
前記金属塩が、塩化亜鉛、硝酸亜鉛、酢酸亜鉛または四塩化チタンであることを特徴とする、請求項１記載の方法。
【請求項３】
前記強塩基が、アルカリ金属水酸化物、アルカリ土類金属水酸化物またはアンモニアであることを特徴とする、請求項１または２記載の方法。
【請求項４】
前記ポリアクリレートが、８００〜２５００００ｇ／モルの範囲内の分子量を有することを特徴とする、請求項１から３までのいずれか１項記載の方法。
【請求項５】
方法工程ａ）〜ｄ）の少なくとも１つを連続的に実施することを特徴とする、請求項１から４までのいずれか１項記載の方法。
【請求項６】
請求項１から５までのいずれか１項記載の方法に従って得られる、少なくとも１つの金属酸化物、金属水酸化物および／または金属酸化水酸化物の表面改質ナノ粒状粒子であって、その際、金属が、アルミニウム、マグネシウム、セリウム、鉄、マンガン、コバルト、ニッケル、銅、チタン、亜鉛およびジルコニウムから成る群から選択されており、かつ表面改質部が、２５〜５００ｍ2／ｇの範囲内のＢＥＴ表面積を有する、少なくとも１つのポリアクリレートによるコーティングを包含する表面改質ナノ粒状粒子。
【請求項７】
１０〜２００ｎｍの直径を有する請求項６記載の表面改質ナノ粒状粒子。
【請求項８】
請求項１から５までのいずれか１項記載の方法に従って得られる、少なくとも１つの金属酸化物、金属水酸化物および／または金属酸化水酸化物の表面改質ナノ粒状粒子の、化粧品日焼け止め配合物中でのＵＶ保護剤としての、プラスチック中での安定剤としての、または抗菌作用物質としての使用。
【請求項９】
前記粒子が酸化亜鉛または二酸化チタンを包含する、請求項８記載の表面改質ナノ粒状粒子の使用。
【請求項１０】
少なくとも１つの金属酸化物、金属水酸化物および／または金属酸化水酸化物の表面改質ナノ粒状粒子の水性懸濁液の製造法であって、その際、金属が、アルミニウム、マグネシウム、セリウム、鉄、マンガン、コバルト、ニッケル、銅、チタン、亜鉛およびジルコニウムから成る群から選択されている製造法において、以下の工程
ａ）水および上記金属の少なくとも１つの金属塩とからの溶液（溶液１）と、水および少なくとも１つの強塩基とからの溶液（溶液２）を製造する工程、その際、２つの溶液１および２の少なくとも１つがポリアクリレートを含有し、その際、該ポリアクリレートは、
−少なくとも１つのα，β−不飽和カルボン酸を基礎とするポリマーであり、その際、該ポリアクリレート中の少なくとも１つのα，β−不飽和カルボン酸の割合は、５０〜１００モル％であり、または
−アクリル酸１００モル％から製造されているポリマーである、
ｂ）工程ａ）で製造した溶液１および２を、０〜１２０℃の範囲内の温度で混合する工程、その際、表面改質ナノ粒状粒子が発生し、かつ水性懸濁液の形成下で溶液から沈殿する、
ｃ）場合により、形成された水性懸濁液を濃縮し、かつ／または副生成物を分離する工程
を包含することを特徴とする製造法。
【請求項１１】
前記金属塩が、塩化亜鉛、硝酸亜鉛、酢酸亜鉛または四塩化チタンであることを特徴とする、請求項１０記載の方法。
【請求項１２】
前記強塩基が、アルカリ金属水酸化物、アルカリ土類金属水酸化物またはアンモニアであることを特徴とする、請求項１０または１１記載の方法。
【請求項１３】
前記ポリアクリレートが、少なくとも１つのα，β−不飽和カルボン酸５０〜１００モル％を含有することを特徴とする、請求項１０から１２までのいずれか１項記載の方法。
【請求項１４】
前記ポリアクリレートが、８００〜２５００００ｇ／モルの範囲内の分子量を有することを特徴とする、請求項１０から１３までのいずれか１項記載の方法。
【請求項１５】
方法工程ａ）〜ｃ）の少なくとも１つを連続的に実施することを特徴とする、請求項１０から１４までのいずれか１項記載の方法。
【請求項１６】
請求項１０から１５までのいずれか１項記載の方法に従って得られる、少なくとも１つの金属酸化物、金属水酸化物および／または金属酸化水酸化物の表面改質ナノ粒状粒子の水性懸濁液であって、その際、金属が、アルミニウム、マグネシウム、セリウム、鉄、マンガン、コバルト、ニッケル、銅、チタン、亜鉛およびジルコニウムから成る群から選択されており、かつ表面改質部が、少なくとも１つのポリアクリレートによるコーティングを包含する表面改質ナノ粒状粒子の水性懸濁液。
【請求項１７】
前記粒子が１０〜２００ｎｍの直径を有する、請求項１６記載の水性懸濁液。
【請求項１８】
前記ポリアクリレートがポリアクリル酸である、請求項１６または１７記載の水性懸濁液。
【請求項１９】
請求項１０から１５までのいずれか１項記載の方法に従って得られる、少なくとも１つの金属酸化物、金属水酸化物および／または金属酸化水酸化物の表面改質ナノ粒状粒子の水性懸濁液の、化粧品日焼け止め配合物中でのＵＶ保護剤としての、プラスチック中での安定剤としての、または抗菌作用物質としての使用。
【請求項２０】
前記粒子が酸化亜鉛または二酸化チタンを包含する、請求項１９記載の水性懸濁液の使用。
【手続補正書】
【提出日】平成22年11月19日(2010.11.19)
【手続補正１】
【補正対象書類名】特許請求の範囲
【補正対象項目名】全文
【補正方法】変更
【補正の内容】
【特許請求の範囲】
【請求項１】
１，４，５，８，９，１２−ヘキサアザトリフェニレン（ジピラジノ（１，３−ｆ）（２′，３′−ｈ）キノキサリン、２，２′ビピラジン、１，１０フェナントロリノ−［５，６−ｂ］−１，４，５，８，９，１２−ヘキサアザトリフェニレンまたは１，４，５，８−テトラアザフェナントレン（またはピラジノ［２，３−ｆ］−キノキサリン）からなる群から選ばれた少なくとも二つの配位子を含む光反応性Ｒｕ（ＩＩ）錯体Ｒｕ（Ｌ１）（Ｌ２）（Ｌ３）２＋に結合されたオリゴヌクレオチドを含む化合物であって、Ｌ３がいずれかのジイミンポリアザ芳香族配位子であり、これらの錯体がグアニン含有オリゴヌクレオチド類にＬ３を介して固着されていることを特徴とする化合物。
【請求項２】
光反応性Ｒｕ（ＩＩ）錯体が化学リンカーによりオリゴヌクレオチド配列上に固着されることを特徴とする請求項１に記載の化合物。
【請求項３】
オリゴヌクレオチドがアンチセンスオリゴヌクレオチドであることを特徴とする請求項１または２に記載の化合物。
【請求項４】
請求項１〜３のいずれかに記載の化合物を含むことを特徴とする診断キットまたは装置。
【請求項５】
光子を放射する装置をさらに含むことを特徴とする請求項４に記載の診断キット。
【請求項６】
適切な医薬担体または希釈剤、請求項１〜３のいずれかに記載の化合物、及び光子を含むことを特徴とする医薬組成物。
【請求項７】
高増殖性疾患（癌）の治療及び／または予防のための医薬の製造のための請求項６に記載の医薬組成物の使用。
【請求項８】
高増殖性疾患が上皮細胞に影響を及ぼす疾患であることを特徴とする請求項７に記載の使用。
【請求項９】
上皮細胞が哺乳動物の皮膚の腫瘍細胞、消化管の腫瘍細胞、肺の腫瘍細胞、並びに生殖器及び／または泌尿器の腫瘍細胞からなる群から選ばれた腫瘍細胞であることを特徴とする請求項８に記載の使用。
【請求項１０】
哺乳動物が人間であることを特徴とする請求項９に記載の使用。
【手続補正書】
【提出日】平成23年2月23日(2011.2.23)
【手続補正１】
【補正対象書類名】特許請求の範囲
【補正対象項目名】全文
【補正方法】変更
【補正の内容】
【特許請求の範囲】
【請求項１】
真空蒸着技術（スパッタリング）を使用して薄層の集成体で被覆された板ガラスであって、真空蒸着技術（スパッタリング）は可視領域において高い透過率を保持しながら赤外線に対する反射特性を板ガラスに与え、層の特性、特に赤外領域における反射に関する特性は、この板ガラスが曲げ／強化のような熱処理を受けるときに実質的に変化されず、板ガラスは一つ以上の銀ベースの層及び誘電体層を含み、少なくとも一つの銀ベース層に対して下にあるその少なくとも一つの誘電体層は酸化チタン又はオキシ窒化チタンベースの層、例えばＴｉＭＯｘ又はＴｉＭＯｘＮｙであり、式中、Ｍは金属（単数又は複数）又はケイ素であり、これらの金属又はケイ素が、熱処理の作用下で予め蒸着された酸化チタン又はオキシ窒化チタンベースの層の結晶構造の有意な転移を防止するために十分な原子割合で含まれていることを特徴とする板ガラス。
【請求項２】
酸化チタン又はオキシ窒化チタンベースの層の組成に含まれる金属（単数又は複数）はＺｒ，Ｎｂ，Ｈｆ，Ｔａ，Ｎｄ，Ｖ，Ｃｅ，Ｗ，Ｍｏ，Ｌａ，Ｙ，Ａｌからなる群に属することを特徴とする請求項１に記載の板ガラス。
【請求項３】
酸化チタン又はオキシ窒化チタンベースの層におけるチタンと結合する金属（単数又は複数）又はケイ素の原子割合Ｍ／Ｔｉは１０％以上、好ましくは１５％より大きい、特に好ましくは２０％より大きいことを特徴とする請求項１又は２に記載の板ガラス。
【請求項４】
オキシ窒化チタンベースの層におけるＮ２／Ｏ２の割合は３０％以下、好ましくは２５％以下、特に好ましくは２０％以下であることを特徴とする請求項１〜３のいずれかに記載の板ガラス。
【請求項５】
酸化チタン又はオキシ窒化チタンベースの層は６ｎｍ以上、好ましくは８ｎｍ以上、特に好ましくは１０ｎｍ以上の厚さを有することを特徴とする請求項１〜４のいずれかに記載の板ガラス。
【請求項６】
酸化チタン又はオキシ窒化チタンベースの層の組成に含まれる金属（単数又は複数）又はケイ素は、問題の層が２．２より大きい、好ましくは２．３より大きい屈折率を有するような割合及び態様で選択されることを特徴とする請求項１〜５のいずれかに記載の板ガラス。
【請求項７】
最大１０ｎｍ、好ましくは最大８ｎｍの厚さを有する酸化亜鉛ベースの層が少なくとも一つの銀ベースの層の下にそれと接触して位置されることを特徴とする請求項１〜６のいずれかに記載の板ガラス。
【請求項８】
酸化亜鉛ベースの層はＺｎＯ，ＺｎＡｌＯｚ，ＺｎＳｎＯｚ又はＺｎＭｇＯｚの層であり、層中のＡｌ／Ｚｎ，Ｓｎ／Ｚｎ又はＭｇ／Ｚｎの原子割合は１５％以下、好ましくは１０％以下であることを特徴とする請求項７に記載の板ガラス。
【請求項９】
少なくとも一つの銀ベースの層は少なくとも一つのＴｉＯｗ（ｗ≦２）チタンベースのバリヤー層又はＮｉＣｒＯｖ層又はこれらの両方によって被覆されることを特徴とする請求項１〜８のいずれかに記載の板ガラス。
【請求項１０】
ＴｉＯｗ及び／又はＮｉＣｒＯｖ層（単数又は複数）は合計で１０ｎｍ以下、好ましくは８ｎｍ以下の厚さを有し、これらの層の各々は個々に６ｎｍ以下の厚さを有することを特徴とする請求項９に記載の板ガラス。
【請求項１１】
８０〜１６０ｍｇ／ｍ２、好ましくは１００〜１４０ｍｇ／ｍ２の範囲の量で単一の銀ベースの層を含むことを特徴とする請求項１〜１０のいずれかに記載の板ガラス。
【請求項１２】
６５０℃より高い温度で少なくとも３分間の熱処理後、銀ベースの層（単数又は複数）の性質は、
Ｑｘε＜５．０
好ましくは
Ｑｘε＜４．８
特に好ましくは
Ｑｘε＜４．６
であり、Ｑはｍｇ／ｍ２で表示され、εは垂直放射率であることを特徴とする請求項１１に記載の板ガラス。
【請求項１３】
以下の層集成体を含むことを特徴とする請求項１〜１２のいずれかに記載の板ガラス：
ガラス／ＴｉＭＯｘ又はＴｉＭＯｘＮｙ／ＺｎＯ又はＺｎＡｌＯｚ又はＺｎＳｎＯｚ又はＺｎＭｇＯｚ／Ａｇ／バリヤー／誘電体ＩＩ。
【請求項１４】
ガラスとＴｉＭＯｘ又はＴｉＭＯｘＮｙ層の間及び／又はこの層の上でＺｎＯ又はＺｎＡｌＯｚ又はＺｎＳｎＯｚ又はＺｎＭｇＯｚ層の下に位置される一つ以上の誘電体層をさらに含むことを特徴とする請求項１３に記載の板ガラス。
【請求項１５】
以下の構造の一つに従っていることを特徴とする請求項１４に記載の板ガラス：
−  ガラス／誘電体／ＴｉＭＯｘ又はＴｉＭＯｘＮｙ／ＺｎＯ又はＺｎＡｌＯｚ又はＺｎＳｎＯｚ又はＺｎＭｇＯｚ／Ａｇ／バリヤー／誘電体ＩＩ，
−  ガラス／ＴｉＭＯｘ又はＴｉＭＯｘＮｙ／誘電体／ＺｎＯ又はＺｎＡｌＯｚ又はＺｎＳｎＯｚ又はＺｎＭｇＯｚ／Ａｇ／バリヤー／誘電体ＩＩ，
−  ガラス／誘電体／ＴｉＭＯｘ又はＴｉＭＯｘＮｙ／誘電体／ＺｎＯ又はＺｎＡｌＯｚ又はＺｎＳｎＯｚ又はＺｎＭｇＯｚ／Ａｇ／バリヤー／誘電体ＩＩ，
但し、この最後の構造の追加の誘電体層は同一であるか又は異なる。
【請求項１６】
追加の誘電体層（単数又は複数）に３０〜７０重量％の範囲の割合のＺｎ／Ｓｎを有する少なくとも一つの亜鉛及び錫の混合酸化物ベースの層が含まれていることを特徴とする請求項１５に記載の板ガラス。
【請求項１７】
少なくとも二つの銀ベースの層を含み、これらの層の各々は以下の層の少なくとも一つの集成体を有することを特徴とする請求項１〜１０のいずれかに記載の板ガラス：
ＴｉＭＯｘ又はＴｉＭＯｘＮｙ／ＺｎＯ又はＺｎＡｌＯｚ又はＺｎＳｎＯｚ又はＺｎＭｇＯｚ
【請求項１８】
ＴｉＭＯｘ又はＴｉＭＯｘＮｙ層に加えて、一つ以上の追加の誘電体層がこのＴｉＭＯｘ又はＴｉＭＯｘＮｙ層の上及び／又は下に設けられていることを特徴とする請求項１６に記載の板ガラス。
【手続補正書】
【提出日】平成23年3月11日(2011.3.11)
【手続補正１】
【補正対象書類名】特許請求の範囲
【補正対象項目名】全文
【補正方法】変更
【補正の内容】
【特許請求の範囲】
【請求項１】
ヒューマニア化抗Ｂ因子抗体またはその抗原結合断片であって、３番目のショートコンセンサスリピート（「ＳＣＲ」）領域でＢ因子に選択的に結合すると共にＣ３ｂＢｂ複合体の形成を防止するマウスモノクローナル抗体１３７９（「ｍＡｂ１３７９」）に由来し、かつ約１．０×１０-8Ｍから約１．０×１０-10Ｍの間の平衡解離定数（「ＫD」）を有するヒューマニア化抗Ｂ因子抗体またはその抗原結合断片。
【請求項２】
ＫDが約３．０×１０-9Ｍから約７．０×１０-9Ｍの間である請求項１に記載のヒューマニア化抗Ｂ因子抗体またはその抗原結合断片。
【請求項３】
配列番号１４、配列番号１６、配列番号１８、および配列番号２０から成るグループから選択されたＶκ領域ポリペプチドと、配列番号１５、配列番号１７、配列番号１９、および配列番号２１から成るグループから選択されたＶＨ領域ポリペプチドとを有する請求項１に記載のヒューマニア化抗Ｂ因子抗体またはその抗原結合断片。
【請求項４】
配列番号１４のＶκ領域ポリペプチドと配列番号１５のＶＨ領域ポリペプチドとを有する請求項３に記載のヒューマニア化抗Ｂ因子抗体またはその抗原結合断片。
【請求項５】
配列番号１６のＶκ領域ポリペプチドと配列番号１７のＶＨ領域ポリペプチドとを有する請求項３に記載のヒューマニア化抗Ｂ因子抗体またはその抗原結合断片。
【請求項６】
配列番号１８のＶκ領域ポリペプチドと配列番号１９のＶＨ領域ポリペプチドとを有する請求項３に記載のヒューマニア化抗Ｂ因子抗体またはその抗原結合断片。
【請求項７】
配列番号２０のＶκ領域ポリペプチドと配列番号２１のＶＨ領域ポリペプチドとを有する請求項３に記載のヒューマニア化抗Ｂ因子抗体またはその抗原結合断片。
【請求項８】
抗原結合断片がＦａｂ’、（Ｆａｂ’）2、Ｆｖ、ｓｃＦｖ、および二重特異性抗体から成るグループから選択される請求項１に記載のヒューマニア化抗Ｂ因子抗体またはその抗原結合断片。
【請求項９】
ヒューマニア化抗Ｂ因子抗体またはその抗原結合断片のＶκ領域は、配列番号２２、配列番号２４、配列番号２６、および配列番号２８から成るグループから選択されたＣＤＲ３−ＦＲ４領域に由来する結合特異性決定基（「ＢＳＤ」）を有し、ヒューマニア化抗Ｂ因子抗体またはその抗原結合断片のＶＨ領域は、配列番号２３、配列番号２５、配列番号２７、および配列番号２９から成るグループから選択されたＣＤＲ３−Ｆ
Ｒ４領域に由来するＢＳＤを有する請求項１に記載のヒューマニア化抗Ｂ因子抗体またはその抗原結合断片。
【請求項１０】
配列番号２２のＶκ領域ＢＳＤポリペプチドと配列番号２３のＶＨ領域ＢＳＤポリペプチドとを有する請求項９に記載のヒューマニア化抗Ｂ因子抗体またはその抗原結合断片。
【請求項１１】
配列番号２４のＶκ領域ＢＳＤポリペプチドと配列番号２５のＶＨ領域ＢＳＤポリペプチドとを有する請求項９に記載のヒューマニア化抗Ｂ因子抗体またはその抗原結合断片。
【請求項１２】
配列番号２６のＶκ領域ＢＳＤポリペプチドと配列番号２７のＶＨ領域ＢＳＤポリペプチドとを有する請求項９に記載のヒューマニア化抗Ｂ因子抗体またはその抗原結合断片。
【請求項１３】
配列番号２８のＶκ領域ＢＳＤポリペプチドと配列番号２９のＶＨ領域ＢＳＤポリペプチドとを有する請求項９に記載のヒューマニア化抗Ｂ因子抗体またはその抗原結合断片。
【請求項１４】
抗原結合断片がＦａｂ’、（Ｆａｂ’）2、Ｆｖ、ｓｃＦｖ、および二重特異性抗体から成るグループから選択される請求項９に記載のヒューマニア化抗Ｂ因子抗体またはその抗原結合断片。
【請求項１５】
有効量の請求項１に記載のヒューマニア化抗Ｂ因子抗体またはその抗原結合断片と、医薬として許容される担体とを含有する医薬組成物。
【請求項１６】
副補体経路の活性化が役割を果たす疾病または障害に罹患しているかまたは該疾病または該障害を起こす危険性のある個体における該疾病または該障害の治療のための請求項１５に記載の医薬組成物。
【請求項１７】
前記疾病または前記障害が気道過敏症（「ＡＨＲ」）または気道炎症である請求項１６に記載の医薬組成物。
【請求項１８】
ヒューマニア化抗Ｂ因子抗体またはその抗原結合断片が、該抗体またはその抗原結合断片の投与前と比較して前記個体においてＡＨＲまたは気道炎症を低減するのに有効な量で前記個体に投与される請求項１７に記載の医薬組成物。
【請求項１９】
前記ＡＨＲまたは前記気道炎症が、喘息、慢性閉塞性肺疾患（「ＣＯＰＤ」）、アレルギー性気管支肺アスペルギルス症、アレルギー性炎、過敏性肺炎、好酸球性肺炎、気腫、気管支炎、アレルギー性気管支炎気管支拡張症、嚢胞線維症、結核、過敏性肺炎、職業性喘息、類肉腫、気道過敏症症候群、間質性肺疾患、好酸球増加症、鼻炎、副鼻腔炎、運動誘発性喘息、汚染誘発性喘息、咳喘息、寄生性肺疾患、呼吸器合胞体ウイルス（「ＲＳＶ」）感染、パラインフルエンザウイルス（「ＰＩＶ」）感染、ライノウイルス（「ＲＶ」）感染およびアデノウイルス感染から成るグループから選択された疾病に関連する請求項１８に記載の医薬組成物。
【請求項２０】
副補体経路の活性化が寄与する疾病もしくは障害、副補体経路の活性化が該疾病もしくは該障害の少なくとも１つの徴候を悪化させる該疾病もしくは該障害、または副補体経路の活性化が引き起こす該疾病もしくは該障害に罹患しているかまたは該疾病もしくは該障害を起こす危険性のある個体において該副補体経路の活性化を選択的に阻害するための請求項１５に記載の医薬組成物。
【請求項２１】
前記疾病または前記障害が気道過敏症（「ＡＨＲ」）または気道炎症である請求項２０に記載の医薬組成物。
【手続補正書】
【提出日】平成23年3月11日(2011.3.11)
【手続補正１】
【補正対象書類名】特許請求の範囲
【補正対象項目名】全文
【補正方法】変更
【補正の内容】
【特許請求の範囲】
【請求項１】
アントシアニン抽出物および少なくとも１つの−ＳＨ基を有する安定化化合物を含む、安定化されたアントシアニン抽出物組成物。
【請求項２】
前記安定化化合物が、酵母抽出物、ジヒドロリポ酸、ジヒドロリポ酸の誘導体、システイン、システインの誘導体、グルタチオン、グルタチオンの誘導体、ＳＨ−プロテイナーゼ、ＳＨ−メタロプロテイナーゼ、システインを含有するペプチド類、グルタチオンを含有するペプチド類、発酵カキ抽出物、チオール化キトサン、チオール化ゼラチンまたはそれらの混合物である、請求項１に記載の安定化されたアントシアニン抽出物組成物。
【請求項３】
前記アントシアニン抽出物が、ビルベリー抽出物、ブラックカラント抽出物、クランベリー抽出物、クロダイズ抽出物、カウベリー抽出物、ブルーベリー抽出物またはそれらの２つもしくはそれ以上の混合物である、請求項１に記載の安定化されたアントシアニン抽出物組成物。
【請求項４】
前記アントシアニン抽出物が、ビルベリー抽出物、ブラックカラント抽出物、クランベリー抽出物、クロダイズ抽出物、カウベリー抽出物、ブルーベリー抽出物またはそれらの２つもしくはそれ以上の混合物である、請求項２に記載の安定化されたアントシアニン抽出物組成物。
【請求項５】
安定化化合物のアントシアニン抽出物に対するモル比が約０．１〜約１０である、請求項１に記載の安定化されたアントシアニン抽出物組成物。
【請求項６】
安定化化合物のアントシアニン抽出物に対するモル比が約０．１〜約１０である、請求項４に記載の安定化されたアントシアニン抽出物組成物。
【請求項７】
組成物が、約２と約１２の間のｐＨを有する水性環境に曝露したときに分解に対して安定である、請求項１に記載の安定化されたアントシアニン抽出物組成物。
【請求項８】
アントシアニン抽出物組成物を安定化する方法であって、アントシアニンが安定化されるように、アントシアニン抽出物を十分な量の少なくとも１つの−ＳＨ基を有する安定化化合物と併用する工程を含む、方法。
【請求項９】
前記安定化化合物が、酵母抽出物、ジヒドロリポ酸、ジヒドロリポ酸の誘導体、システイン、システインの誘導体、グルタチオン、グルタチオンの誘導体、ＳＨ−プロテイナーゼ、ＳＨ−メタロプロテイナーゼ、システインを含有するペプチド類、グルタチオンを含有するペプチド類、発酵カキ抽出物、チオール化キトサン、チオール化ゼラチンまたはそれらの混合物である、請求項８に記載の方法。
【請求項１０】
前記アントシアニン抽出物が、ビルベリー抽出物、ブラックカラント抽出物、クランベリー抽出物、クロダイズ抽出物、カウベリー抽出物、ブルーベリー抽出物またはそれらの２つもしくはそれ以上の混合物である、請求項８に記載の方法。
【請求項１１】
前記アントシアニン抽出物が、ビルベリー抽出物、ブラックカラント抽出物、クランベリー抽出物、クロダイズ抽出物、カウベリー抽出物、ブルーベリー抽出物またはそれらの２つもしくはそれ以上の混合物である、請求項９に記載の方法。
【請求項１２】
安定化化合物のアントシアニン抽出物に対するモル比が約０．１〜約１０である、請求項８に記載の方法。
【請求項１３】
安定化化合物のアントシアニン抽出物に対するモル比が約０．１〜約１０である、請求項１１に記載の方法。
【請求項１４】
安定化されたアントシアニン抽出物組成物が、周囲条件で少なくとも約１日間安定である、請求項８に記載の方法。
【請求項１５】
アントシアニン抽出物および少なくとも１つの−ＳＨ基を有する安定化化合物を含む、ｐＨ安定化アントシアニン抽出物組成物。
【請求項１６】
前記安定化化合物が、酵母抽出物、ジヒドロリポ酸、ジヒドロリポ酸の誘導体、システイン、システインの誘導体、グルタチオン、グルタチオンの誘導体、ＳＨ−プロテイナーゼ、ＳＨ−メタロプロテイナーゼ、システインを含有するペプチド類、グルタチオンを含有するペプチド類、発酵カキ抽出物、チオール化キトサン、チオール化ゼラチンまたはそれらの混合物である、請求項１５記載のｐＨ安定化アントシアニン抽出物組成物。
【請求項１７】
前記アントシアニン抽出物が、ビルベリー抽出物、ブラックカラント抽出物、クランベリー抽出物、クロダイズ抽出物、カウベリー抽出物、ブルーベリー抽出物またはそれらの２つもしくはそれ以上の混合物である、請求項１５記載のｐＨ安定化アントシアニン抽出物組成物。
【請求項１８】
アントシアニン抽出物が、ビルベリー抽出物、ブラックカラント抽出物、クランベリー抽出物、クロダイズ抽出物、カウベリー抽出物、ブルーベリー抽出物またはそれらの２つもしくはそれ以上の混合物である、請求項１６記載のｐＨ安定化アントシアニン抽出物組成物。
【請求項１９】
安定化化合物のアントシアニン抽出物に対するモル比が約０．１〜約１０である、請求項１５に記載のｐＨ安定化アントシアニン抽出物組成物。
【請求項２０】
安定化化合物のアントシアニン抽出物に対するモル比が約０．１〜約１０である、請求項１８に記載のｐＨ安定化アントシアニン抽出物組成物。
【請求項２１】
アントシアニンおよび少なくとも１つの−ＳＨ基を有する安定化化合物を含む、アントシアニンの生物学的利用能を増加させるためのアントシアニン組成物であって、対象に投与したときに、アントシアニンの量が、対象中で、少なくとも１つの−ＳＨ基を有する安定化化合物を有しないアントシアニン組成物の試料と比較して少なくとも２倍量に増加することを特徴とする組成物。
【請求項２２】
安定化化合物が、酵母抽出物、ジヒドロリポ酸、ジヒドロリポ酸の誘導体、システイン、システインの誘導体、グルタチオン、グルタチオンの誘導体、ＳＨ−プロテイナーゼ、ＳＨ−メタロプロテイナーゼ、システインを含有するペプチド類、グルタチオンを含有するペプチド類、発酵カキ抽出物、チオール化キトサン、チオール化ゼラチンまたはそれらの混合物である、請求項２１記載の組成物。
【請求項２３】
アントシアニン抽出物が、ビルベリー抽出物、ブラックカラント抽出物、クランベリー抽出物、クロダイズ抽出物、カウベリー抽出物、ブルーベリー抽出物またはそれらの２つもしくはそれ以上の混合物である、請求項２１記載の組成物。
【請求項２４】
アントシアニン抽出物が、ビルベリー抽出物、ブラックカラント抽出物、クランベリー抽出物、クロダイズ抽出物、カウベリー抽出物、ブルーベリー抽出物またはそれらの２つもしくはそれ以上の混合物である、請求項２２記載の組成物。
【請求項２５】
安定化化合物のアントシアニン抽出物に対するモル比が約０．１〜約１０である、請求項２１に記載の組成物。
【請求項２６】
安定化化合物のアントシアニン抽出物に対するモル比が約０．１〜約１０である、請求項２４に記載の組成物。
【請求項２７】
少なくとも１つの−ＳＨ基を有する化合物の存在下における投与の４時間後のアントシアニンの血漿濃度が、少なくとも１つの−ＳＨ基を有する安定化化合物の非存在下におけるアントシアニンの血漿濃度の少なくとも２倍量である、請求項２１に記載の組成物。
【手続補正書】
【提出日】平成23年2月8日(2011.2.8)
【手続補正１】
【補正対象書類名】特許請求の範囲
【補正対象項目名】全文
【補正方法】変更
【補正の内容】
【特許請求の範囲】
【請求項１】
非ステロイド性抗炎症剤（NSAID）を局所投与するための組成物であって、前記組成物はキャリアシステム中に有効成分としてNSAIDの溶液又は懸濁液を含み、前記キャリアシステムは常温で単一の相として存在し、多価アルコール、グリコールエーテル、及び高級脂肪酸エステルを含む、組成物。
【請求項２】
有効成分としてのNSAIDがジクロフェナクである、請求項１に記載の組成物。
【請求項３】
ジクロフェナクがジクロフェナク酸である、請求項２に記載の組成物。
【請求項４】
多価アルコールがグリコールである、請求項１〜３のいずれか１項に記載の組成物。
【請求項５】
グリコールがイソプロピレングリコールである、請求項４に記載の組成物。
【請求項６】
エステルが極性脂質である、請求項１〜５のいずれか１項に記載の組成物。
【請求項７】
極性脂質がC12乃至C20の飽和カルボン酸の分岐鎖アルキルエステルである、請求項６に記載の組成物。
【請求項８】
グリコールエーテルがジエチレングリコールエーテルである、請求項１〜７のいずれか１項に記載の組成物。
【請求項９】
ジエチレングリコールエーテルがジエチレングリコールモノエチルエーテルである、請求項８に記載の組成物。
【請求項１０】
キャリアシステム成分を、重量パーセントで示した場合に以下の量で有する、請求項１〜９のいずれか１項に記載の組成物。
多価アルコール 5〜70％
グリコールエーテル 20〜60％
エステル 2〜70％
【請求項１１】
NSAID量が最大10重量％である、請求項１〜１０のいずれか１項に記載の組成物。
【請求項１２】
NSAID量が最大５重量％である、請求項１１項に記載の組成物。
【請求項１３】
NSAID量が最大2.5重量％である、請求項１２項に記載の組成物。
【請求項１４】
多価アルコール対グリコールエーテルの比率が80:20乃至30:70の範囲であり、エステルが2〜20重量％の範囲である、請求項１〜１３のいずれか１項に記載の組成物。
【請求項１５】
多価アルコール対グリコールエーテルの比率が70:30乃至40:60の範囲であり、エステルが3〜10重量％である、請求項１４に記載の組成物。
【請求項１６】
さらに揮発性の溶媒を含む、請求項１〜１５のいずれか１項に記載の組成物。
【請求項１７】
揮発性の溶剤が最大５個の炭素原子を含む低級アルコール又は液相ケトンである、請求項１６に記載の組成物。
【請求項１８】
低級アルコールがエタノールである、請求項１７に記載の組成物。
【請求項１９】
さらに抗核形成剤を含む、請求項１〜１８のいずれか１項に記載の組成物。
【請求項２０】
知覚信号物質を含む、請求項１〜１９のいずれか１項に記載の組成物。
【請求項２１】
知覚信号物質がメンソール及びユーカリ油である、請求項２０に記載の組成物。
【請求項２２】
人体又は動物体の標的部位へNSAIDを投与するための局所組成物であって、前記組成物が常温で単一の相として存在する組成物の製造における、多価アルコール、グリコールエーテル及び高級脂肪酸エステルを含むキャリアシステムの使用。
【請求項２３】
人体又は動物体の標的部位へ投与することによる疼痛又は炎症の緩和方法において使用される請求項1〜２１のいずれか１項に記載の局所組成物。
【手続補正書】
【提出日】平成23年3月14日(2011.3.14)
【手続補正１】
【補正対象書類名】特許請求の範囲
【補正対象項目名】全文
【補正方法】変更
【補正の内容】
【特許請求の範囲】
【請求項１】
一般式：
【化２】
2010521441.tif 000001
によって示され、単離または精製または部分精製された状態のペプチド由来分子。
（式中、Ｘは、Ｈ、アセチル基もしくは任意の天然アミノ酸であるか、または遊離ＮＨ２基もしくは少なくともアセチル誘導体化ＮＨ２基が付加したアミノ酸の配列であり、Ｙは、ＯＨ基、ＮＨ２基もしくは任意のアミノ酸であるか、またはＣ末端カルボキシ−アミド基を有するアミノ酸の配列であり、「ｎ」は１〜１０の整数であり、「ｍ」は１〜３の整数である）
【請求項２】
アンドロゲンレセプター（ＡＲ）とチロシンキナーゼＳｒｃのＳＨ３ドメインとの相互作用を阻害または阻止することができる、請求項１に記載のペプチド由来分子。
【請求項３】
インビトロまたはインビボで抗腫瘍活性を有する、請求項１または２に記載のペプチド由来分子。
【請求項４】
配列番号１、配列番号２、配列番号３または配列番号４のアミノ酸配列を有する、請求項１から３のいずれか１項に記載のペプチド由来分子。
【請求項５】
薬物として使用するための、請求項１から４のいずれか１項に記載のペプチド由来分子。
【請求項６】
抗腫瘍剤として使用するための、請求項１から４のいずれか１項に記載のペプチド由来分子。
【請求項７】
（i）抗乳癌剤もしくは抗前立腺癌剤として、および/または（ii）アンドロゲンレセプターを単独でもしくはエストラジオールレセプターとともに発現している他の癌に対して使用するための、請求項６に記載のペプチド由来分子。
【請求項８】
請求項１から４のいずれか１項に記載のペプチド由来分子を医薬的に許容可能かつ有効な量で含む薬剤組成物であって、（i）前記ペプチドが、ＢＳＡもしくはＫＬＨなどの担体分子に連結されていてもよく、かつ／または脂質粒子、ナノカプセル、リポソームもしくは脂質ベシクルなどの脂質組成物に医薬品賦形剤と共に含まれ、ならびに/あるいは（ii）少なくとも第２の抗癌剤をさらに含む、薬剤組成物。
【請求項９】
抗アンドロゲンポリペプチドに対する抗体を産生するための抗原としての、請求項１から４のいずれか１項に記載のペプチド由来分子の使用。
【請求項１０】
ワクチン等の薬物を調製するための、請求項１から４のいずれか１項に記載のペプチド由来分子の使用。
【請求項１１】
請求項１から４のいずれか１項に記載のペプチド由来分子を特異的に認識することができる抗体。
【請求項１２】
単一または複数の容器内に検出可能な標識および免疫検出試薬に機能的に結合された、請求項１１に記載の抗体を含むキット。
【請求項１３】
請求項１から４のいずれか１項に記載のペプチドをコードする核酸配列、または請求項１から４に記載のペプチドを発現する組換えベクター。
【請求項１４】
請求項１３に記載の核酸配列もしくは組換えベクターを含む、哺乳動物、ヒトまたは細菌宿主細胞。
【請求項１５】
乳房細胞または前立腺細胞等の癌細胞を死滅させるインビトロでの方法であって、請求項１から４のいずれか１項に記載のペプチド由来分子を前記細胞に提供することを含む、方法。
【誤訳訂正書】
【提出日】平成23年11月2日(2011.11.2)
【誤訳訂正１】
【訂正対象書類名】特許請求の範囲
【訂正対象項目名】請求項１
【訂正方法】変更
【訂正の内容】
【請求項１】
ウレタン（メタ）アクリレート中のポリ（メタ）アクリレート−ウレタン−（メタ）アクリレートをベースとする合成樹脂であって、
（ａ）イソシアネート基反応性基を持たない（メタ）アクリレートモノマー（I）と、イソシアネート基反応性基を有する（メタ）アクリレートモノマー（II）を準備することと、
（ｂ）前記（メタ）アクリレートモノマー（I）および（II）を重合させ、イソシアネート基反応性基を有するポリ（メタ）アクリレート（III）を生成することと、
（ｃ）前記ポリ（メタ）アクリレート（III）と、イソシアネート基を１より多く有するイソシアネート化合物（IV）とを、前記イソシアネート化合物（IV）におけるイソシアネート基の５〜４０％が、前記イソシアネート基反応性基と反応し、これにより、任意の１個の化合物（IV）が、任意の１より多くの（III）と、そのイソシアネート基の１より多くと反応し２〜２０倍の重量平均分子量の増加を伴う（III）の部分的な架橋が起こるように反応させることと、
（ｄ）工程（ｃ）で得られた化合物を、（メタ）アクリレートモノマー（II）と反応させることとによって得られる合成樹脂。
【誤訳訂正２】
【訂正対象書類名】明細書
【訂正対象項目名】００２４
【訂正方法】変更
【訂正の内容】
【００２４】
最も単純なウレタン（メタ）アクリレートは、ジイソシアネートとヒドロキシル基含有アクリレートまたはメタクリレートモノマーとの反応によって形成される。さらなるヒドロキシル基含有化合物、例えば、ヒドロキシル基を１より多く有するポリオール、ポリエステル、またはポリエーテルを使用した場合には、鎖延長が起こる。
【誤訳訂正３】
【訂正対象書類名】明細書
【訂正対象項目名】００４３
【訂正方法】変更
【訂正の内容】
【００４３】
よって、一実施形態においては、本発明は、ウレタン（メタ）アクリレート中のポリ（メタ）アクリレート−ウレタン−（メタ）アクリレートをベースとする合成樹脂であって、（ａ）イソシアネート基反応性基（イソシアネート基に反応性な基）を持たない（メタ）アクリレートモノマー（I）と、イソシアネート基反応性基を有する（メタ）アクリレートモノマー（II）を準備することと、（ｂ）前記（メタ）アクリレートモノマー（I）および（II）を重合させ、イソシアネート基反応性基を有するポリ（メタ）アクリレート（III）を生成することと、（ｃ）前記ポリ（メタ）アクリレート（III）と、イソシアネート基を１より多く有するイソシアネート化合物（IV）とを、前記イソシアネート化合物（IV）におけるイソシアネート基の５〜４０％、好ましくは１０〜３０％が前記イソシアネート基反応性基と反応し、これにより、任意の１個の化合物（IV）が、任意の１より多くの（III）と、そのイソシアネート基の１より多くと反応し２〜２０倍の重量平均分子量の増加を伴う（III）の部分的な架橋が起こるように反応させることと、（ｄ）工程（ｃ）で得られた化合物を、（メタ）アクリレートモノマー（II）と反応させることとによって得られる合成樹脂に関するものである。
【誤訳訂正４】
【訂正対象書類名】明細書
【訂正対象項目名】００４５
【訂正方法】変更
【訂正の内容】
【００４５】
工程（ｃ）で得られる、イソシアネート基反応性基を有するポリ（メタ）アクリレート（III）とイソシアネート基を１より多く有するイソシアネート化合物（IV）の高分子付加生成物（V）において、（III）と（IV）とは付加反応で形成されたウレタン構成単位を介して結合されている。よって、付加生成物（V）は、少なくとも１個の遊離イソシアネート基（（IV）由来）を含む基にウレタン構成単位を介して結合されるポリマー骨格（（III）由来）を示している。この時点で、付加生成物（V）は、その遊離イソシアネート基を介し、工程（ｃ）においてさらなるポリ（メタ）アクリレート（III）に結合し、これにより部分的に架橋された生成物を形成することができる一方、他方では、工程（ｄ）においてさらなる（メタ）アクリレート（II）と反応できる。
【誤訳訂正５】
【訂正対象書類名】明細書
【訂正対象項目名】００６５
【訂正方法】変更
【訂正の内容】
【００６５】
工程（ｂ）で得られたポリ（メタ）アクリレート（III）を、工程（ｃ）において、イソシアネート基を１より多く含むイソシアネート化合物（IV）（ポリイソシアネート）と付加反応させる。
【誤訳訂正６】
【訂正対象書類名】明細書
【訂正対象項目名】００７２
【訂正方法】変更
【訂正の内容】
【００７２】
ポリ（メタ）アクリレート（III）とイソシアネート（isocyanat）（IV）の反応で得られる好ましい反応生成物は、通常、約１，０００〜約２００，０００ｇ／モルの分子量分布を有している。イソシアネート化合物（IV）との反応前の分子量と比べて、分子量が高くなっているという事実は、本発明のポリ（メタ）アクリレート−ウレタン−（メタ）アクリレートが部分的に架橋されていることを示している。これは、例えば、イソシアネート基を１より多く有するイソシアネート化合物（IV）の分子の一部が、１より多くポリ（メタ）アクリレート鎖（III）におけるイソシアネート基反応性基と反応した場合に起こり得る。このようにして、２〜２０倍の重量平均分子量の増加が起こる、すなわち、ポリ（メタ）アクリレート（III）の分子が平均２〜２０個架橋される。
【手続補正書】
【提出日】平成23年4月7日(2011.4.7)
【手続補正１】
【補正対象書類名】特許請求の範囲
【補正対象項目名】全文
【補正方法】変更
【補正の内容】
【特許請求の範囲】
【請求項１】
（ｉ）アクリロキシ官能性アルコキシシラン又はメタクリロキシ官能性アルコキシシラン、（ｉｉ）アルケニル官能性シラノール末端オルガノポリシロキサン、及び（ｉｉｉ）エポキシ官能性アルコキシシランを含む組成物。
【請求項２】
（ｉ）アクリロキシ官能性アルコキシシラン又はメタクリロキシ官能性アルコキシシラン、（ｉｉ）アルケニル官能性シラノール末端オルガノポリシロキサン、（ｉｉｉ）エポキシ官能性アルコキシシラン、及び（ｉｖ）環状アルケニル基含有ポリシロキサンを含む組成物。
【請求項３】
（Ａ）ヒドロシリル化反応により硬化可能な組成物、
（Ｂ）前記ヒドロシリル化反応の抑制剤、
（Ｃ）シリコーン樹脂、及び
（Ｄ）（ｉ）アクリロキシ官能性アルコキシシラン又はメタクリロキシ官能性アルコキシシランと、（ｉｉ）有機チタン化合物と、（ｉｉｉ）アルケニル官能性シラノール末端オルガノポリシロキサンと、（ｉｖ）金属キレート化合物と、（ｖ）エポキシ官能性アルコキシシランとを含む接着促進添加剤
を含む硬化性被覆組成物。
【請求項４】
請求項３に記載の硬化性被覆組成物で被覆された合成繊維材料。
【請求項５】
被覆組成物を合成繊維材料に適用すること、及び前記被覆組成物を硬化させることを含む合成繊維材料の被覆方法であって、前記被覆組成物が、
（Ａ）ヒドロシリル化反応により硬化可能な組成物、
（Ｂ）前記ヒドロシリル化反応の抑制剤、
（Ｃ）シリコーン樹脂、及び
（Ｄ）（ｉ）アクリロキシ官能性アルコキシシラン又はメタクリロキシ官能性アルコキシシランと、（ｉｉ）有機チタン化合物と、（ｉｉｉ）アルケニル官能性シラノール末端オルガノポリシロキサンと、（ｉｖ）金属キレート化合物と、（ｖ）エポキシ官能性アルコキシシランとを含む接着促進添加剤
を含む合成繊維材料の被覆方法。
【誤訳訂正書】
【提出日】平成23年4月8日(2011.4.8)
【誤訳訂正１】
【訂正対象書類名】明細書
【訂正対象項目名】００８０
【訂正方法】変更
【訂正の内容】
【００８０】
プッシュハンドル２５は、動作部材２として作動するスプリングケーブルの上に延びて、カートリッジユニット４の部品５の位置をカートリッジユニット４のスリーブ状部６に対して操作することができ、当該カートリッジユニット４は、アンカー部８として働く固定フックを有する。プッシュハンドル２５は圧縮スプリングによって管２８のねじ状の歯２８．１で留められる。この結果、プッシュハンドル２５は、管２８の近端側の運動に従う。そしてこの管２８は、動作部材３として働く、スプリングケーブルによってカートリッジの部品６に連結される。
【誤訳訂正書】
【提出日】平成23年3月24日(2011.3.24)
【誤訳訂正１】
【訂正対象書類名】明細書
【訂正対象項目名】００１７
【訂正方法】変更
【訂正の内容】
【００１７】
従って、本発明は、抄紙機の形成部、プレス部及び／又は乾燥部に使用し得る多重層の布である。斯かる布の各層は、複数の結合ヤーン（ｂｉｎｄｅｒ  ｙａｒｎ）の使用によって共に保持されてもよく、そのそれぞれは、各織成パターンの繰り返しの内で、第１の層において、２回以上、順に織成する。言い換えれば、結合ヤーンのそれぞれは、各パターンの繰り返しにおいて、２回以上、布の上部層及び／又は下部層において、織成する。
【誤訳訂正２】
【訂正対象書類名】明細書
【訂正対象項目名】００１８
【訂正方法】変更
【訂正の内容】
【００１８】
本発明の態様によると、布は、機械方向（ＭＤ）のヤーンの第１層、及びＭＤヤーンの第２層、並びに第１の境界パターンを織成する第１の結合ヤーンと第１の境界パターンとは異なる第２の境界パターンを織成する第２の結合ヤーンとを有する機械を横切る方向（ＣＤ）のヤーンの第１システムを有する。第１の結合ヤーン及び第２の結合ヤーンは、第１層にそれぞれ固有であって、それぞれは、第２層と結合する。さらに、本発明の他の態様において、第１の結合ヤーン及び第２の結合ヤーンは、それぞれ、織成パターンの繰り返しにおいて、２回以上、第１層において順にそれぞれ織成する。
【誤訳訂正３】
【訂正対象書類名】明細書
【訂正対象項目名】００２０
【訂正方法】変更
【訂正の内容】
【００２０】
本発明のその他の態様で含むのは、本発明の布は、三重層の形成布であってもよい。ＭＤヤーンの第１層を有する第１層は、布の形成側を形成してもよく、ＭＤヤーンの第２層を有する第２層は、布の摩耗側を形成してもよい。第１の結合ヤーン及び第２の結合ヤーンは、パターンの繰り返しにおいて、２回以上、第２層から第１層へと互いに交差してもよい。本発明の布は、ＭＤヤーンの第１層と織り込まれた（ｉｎｔｅｒｗｏｖｅｎ）ＣＤヤーンの第２システム、及び／又はＭＤヤーンの第２層と織り込まれたＣＤヤーンの第３システムをさらに有してもよい。本発明の布は、摩耗側に対して１：１、２：１、３：２、３：１のシュート比（ｓｈｕｔｅ  ｒａｔｉｏ）又はその他の適当なシュート比の形成側を有してもよい。本発明の布は、４０ハーネス（ｈａｒｎｅｓｓ）の配列で製造されてもよく、好ましくは、平織りであってもよい。また、第１層及び第２層のＭＤヤーンは、相対した位置で垂直に積層されてもよい。ＭＤヤーン及びＣＤのヤーンの少なくともいくつかは、モノフィラメントヤーンであってもよく；ポリアミドヤーン又はポリエステルヤーンであってもよい；また、円形の断面形状、方形の断面形状又はその他の非円形の断面形状を有してもよい。
【誤訳訂正４】
【訂正対象書類名】明細書
【訂正対象項目名】００２５
【訂正方法】変更
【訂正の内容】
【００２５】
本発明の第１の態様において、各結合ヤーンは、パターンの繰り返しにおいて、２回以上、上部層と順に織成する。さらに、本発明の第２の態様において、結合ヤーンは、上記のパターンの繰り返しにおいて、上部層において複数の境界パターンを織成する。本発明で使用するように、複数の境界パターンは、結合ヤーンのペアにおける各結合ヤーンが異なるパターンを織成することを意味するものと定義する；これにより、少なくとも２つの境界パターンを生じる。言い換えれば、第１の結合ヤーン及び第２の結合ヤーンは、上部層において、異なるパターンの境界を生じる。
【手続補正書】
【提出日】平成22年12月3日(2010.12.3)
【手続補正１】
【補正対象書類名】特許請求の範囲
【補正対象項目名】全文
【補正方法】変更
【補正の内容】
【特許請求の範囲】
【請求項１】
以下の関係式を満たす光学面を少なくとも１つ含むことを特徴とする光学素子。
σＲＭＳ＜１．０ｎｍ  及び
【数１】
2008528955.tif 000001
【数２】
2008528955.tif 000002
上記関係式中、
σＲＭＳは、０．３ｍｍ〜１０．０ｍｍの範囲の空間的な長さスケ−ルのために求められる前記光学面の表面粗さの平方２乗平均値であり、
ｍａｘ（β（φ，ｘ，ｙ））は、前記光学面上のすべての点（ｘ，ｙ）及びすべての向きφでのβの最大値であり、
ｍｉｎ（β（φ，ｘ，ｙ））は、前記光学面上のすべての点（ｘ，ｙ）及びすべての向きφでのβの最小値であり、
α（ｘ，ｙ）は、点（ｘ，ｙ）での前記光学面の表面法線と、前記光学面のすべての点での表面法線の平均とがなす角度であり、
ｃ（φ，ｘ，ｙ）は、向きφで求められた点（ｘ，ｙ）での前記光学面の曲率であり、
ｚ（ｘ，ｙ）は、点（ｘ，ｙ）での前記光学面の表面高さであり、少なくとも１つの点（ｘ０，ｙ０）において、ｚ（ｘ０，ｙ０）＝０が満たされ、
ｄは、ｄ＝ｍａｘ（ｚ（ｘ，ｙ））＋５０ｍｍで表わされる定数であり、ｍａｘ（ｚ（ｘ，ｙ））は前記光学面上のすべての点（ｘ，ｙ）のｚの最大値である。
【請求項２】
以下の関係式を満たす請求項１に記載の光学素子。
【数３】
2008528955.tif 000003
【請求項３】
σＲＭＳ＜０．２ｎｍである請求項１又は２に記載の光学素子。
【請求項４】
σＲＭＳは、０．３ｍｍ〜３．０ｍｍの範囲の空間的な長さスケ−ルのために求められる請求項１〜３のいずれかに記載の光学素子。
【請求項５】
σＲＭＳは、１．０ｍｍ〜１０．０ｍｍの範囲の空間的な長さスケ−ルのために求められる請求項１〜４のいずれかに記載の光学素子。
【請求項６】
以下の関係式を満たす回転対称な光学面を少なくとも１つ含むことを特徴とする光学素子。
σＲＭＳａ＜１．０ｎｍ  及び
【数４】
2008528955.tif 000004
【数５】
2008528955.tif 000005
上記関係式中、
σＲＭＳａは、前記光学面の絶対非回転対称表面誤差の平方２乗平均値であり、
ｍａｘ（β（φ，ｘ，ｙ））は、前記光学面上のすべての点（ｘ，ｙ）及びすべての向きφでのβの最大値であり、
ｍｉｎ（β（φ，ｘ，ｙ））は、前記光学面上のすべての点（ｘ，ｙ）及びすべての向きφでのβの最小値であり、
α（ｘ，ｙ）は、点（ｘ，ｙ）での前記光学面の表面法線と、前記光学面のすべての点での表面法線の平均とがなす角度であり、
Ｒ（ｘ，ｙ）は、点（ｘ，ｙ）での前記光学面の曲率半径であり、
ｃ（φ，ｘ，ｙ）は、向きφで求められた点（ｘ，ｙ）での前記光学面の曲率であり、
ｄは、ｄ＝ｍａｘ（ｚ（ｘ，ｙ））＋５０ｍｍで表わされる定数であり、ｍａｘ（ｚ（ｘ，ｙ））は前記光学面上のすべての点（ｘ，ｙ）のｚの最大値である。
【請求項７】
以下の関係式を満たす請求項６に記載の光学素子。
【数６】
2008528955.tif 000006
【請求項８】
σＲＭＳａ＜０．２ｎｍである請求項６又は７に記載の光学素子。
【手続補正書】
【提出日】平成23年4月5日(2011.4.5)
【手続補正１】
【補正対象書類名】特許請求の範囲
【補正対象項目名】全文
【補正方法】変更
【補正の内容】
【特許請求の範囲】
【請求項１】
グリニャールプロセスによって、フェニルメチルジクロロシラン及びジフェニルメチルクロロシランを調製するためのプロセスであって、フェニルグリニャール試薬、エーテル溶剤、トリクロロシラン、及び脂肪族又はシクロパラフィン系炭化水素カップリング溶剤を接触させることを含み、該フェニルグリニャール試薬に対する該エーテル溶剤のモル比が２〜５であり、該フェニルグリニャール試薬に対する該トリクロロシランのモル比が０．１〜１０であり、該フェニルグリニャール試薬に対する該脂肪族又はシクロパラフィン系炭化水素カップリング溶剤のモル比が３〜７であるプロセス。
【請求項２】
前記脂肪族炭化水素カップリング溶剤が、ブタン、ペンタン、ヘキサン、ｎ−ヘプタン、オクタン、ノナン及びデカンから成る群から選択される、請求項１に記載のプロセス。
【請求項３】
前記シクロパラフィン系炭化水素カップリング溶剤が、シクロブタン、シクロペンタン、シクロヘキサン、シクロヘプタン、メチルシクロペンタン、及びメチルシクロヘキサンから成る群から選択される、請求項１に記載のプロセス。
【手続補正書】
【提出日】平成22年4月22日(2010.4.22)
【手続補正１】
【補正対象書類名】特許請求の範囲
【補正対象項目名】全文
【補正方法】変更
【補正の内容】
【特許請求の範囲】
【請求項１】
支持体を用意し、前記支持体の一方の側に多色マスクを塗布し、該支持体の他方の側に、可視光によって硬化可能な層を塗布し、そして該光硬化性層を該マスクを通して可視光で露光することにより、露光された部分において、硬化されたパターンを形成するように、光によって硬化可能な層を硬化させることを含んで成る積層透明構造体を形成する方法。
【請求項２】
該支持体の前記多色マスクとは反対の側に、機能性透明材料層を適用することをさらに含んで成る請求項１に記載の方法。
【請求項３】
透明支持体と、該支持体の裏側の多色マスクと、該多色マスクの少なくとも１つの色と見当合わせされた、該支持体の表側の少なくとも１つのパターン化層とを含んで成る物品。
【請求項４】
支持体の裏側上に画像形成層、並びに該支持体の表側上に、該支持体から順に、機能透明層及び可視光によって硬化可能な層を有する当該支持体を含んで成る物品。
【請求項５】
支持体の裏側に画像形成層、及び表側に、可視光スペクトルの一部だけと整合するスペクトルを有する可視光によって硬化される材料から成る少なくとも１つの層を有する当該支持体を含んで成る物品。